(57)【要約】【課題】ＣＭに割り当てられた時間を保持しつつ、視聴者が見たくないＣＭを簡単にスキップさせることができ、且つ現行の放送方式で実現可能なＣＭデータの表示システム。【解決手段】番組スポンサのＣＭを再生表示するためのＣＭデータとＣＭ挿入の開始時間及び終了時間を示すＣＭ挿入の時間情報とを含むデータを格納し、ネットワークに接続したデータベース２と、番組を受信して表示するとともに、受信した番組を特定するための情報を、データベース２に送信し、受信した番組スポンサのＣＭデータとＣＭ挿入の時間情報とを含むデータを、データベース２から受け取って保持する放送受信端末１０と、を備え、放送受信端末１０は、データベース２からのＣＭ挿入の時間情報を用いて、放送で受信したＣＭの代わりに、データベース２から受け取ったＣＭデータを再生して表示する。【選択図】図１
2007336439.tif 000002
【特許請求の範囲】
【請求項１】
番組スポンサのＣＭを再生表示するためのＣＭデータとＣＭ挿入の開始時間及び終了時間を示すＣＭ挿入の時間情報とを含むデータを格納し、ネットワークに接続したデータベースと、
番組を受信して表示するとともに、前記受信した番組を特定するための情報を、前記データベースに前記ネットワークを介して送信し、前記受信した番組スポンサのＣＭデータとＣＭ挿入の時間情報とを含むデータを、前記ネットワークを介して受け取って一時的に保持する放送受信端末と、を備え、
前記放送受信端末は、前記ネットワークを介して受け取ったＣＭ挿入の時間情報を用いて、放送で受信したＣＭの代わりに、前記ネットワークを介して受け取ったＣＭデータを再生して表示する
ことを特徴とするＣＭデータ表示システム。
【請求項２】
請求項１において、
前記放送受信端末は、ＣＭデータの再生表示中にＣＭ挿入の終了時間を過ぎた場合、再生中のＣＭを表示しつつ番組の録画を開始し、ＣＭの再生終了後に録画した番組の先頭から再生しつつ録画を継続するタイムシフト再生を行う
ことを特徴とするＣＭデータ表示システム。
【請求項３】
番組スポンサのＣＭを再生表示するためのＣＭデータを含むデータを格納し、ネットワークに接続したデータベースと、
放送信号中にＣＭ挿入の開始フラグと終了フラグを付加する番組放送手段と、
番組を受信して表示するとともに、前記受信した番組を特定するための情報を、前記データベースに前記ネットワークを介して送信し、前記受信した番組スポンサのＣＭデータを含むデータを、前記ネットワークを介して受け取って一時的に保持する放送受信端末と、を備え、
前記放送受信端末は、前記放送信号中に含まれるＣＭ挿入の開始フラグとＣＭ挿入の終了フラグを用いて、放送で受信したＣＭの代わりに、前記ネットワークを介して受け取ったＣＭデータを再生して表示する
ことを特徴とするＣＭデータ表示システム。
【請求項４】
請求項３において、
前記放送受信端末は、前記ＣＭデータの再生表示中にＣＭ挿入の終了フラグを検出した場合、再生中のＣＭを表示しつつ番組の録画を開始し、ＣＭの再生終了後に録画した番組の先頭から再生しつつ録画を継続するタイムシフト再生を行う
ことを特徴とするＣＭデータ表示システム。
【請求項５】
請求項１ないし４のいずれか１つの請求項において、
前記ＣＭデータは、視聴者によるスキップ操作で順次に次のＣＭの再生に切り替わることを特徴とするＣＭデータ表示システム。
【請求項６】
請求項１ないし５のいずれか１つの請求項において、
前記データベースは、前記ＣＭデータの分類を示すＣＭデータの分類情報をさらに含み、
前記放送受信端末は、前記ＣＭデータを再生する際、再生が開始されてからスキップ操作がされたか否かを検知し、前記スキップ操作を検知した場合は再生開始からスキップ操作されるまでの時間を計測し、前記スキップ操作の検知情報、前記計測した時間情報と、前記ＣＭデータの分類情報を参照して、次に再生するＣＭを選択する
ことを特徴とするＣＭデータ表示システム。
【請求項７】
番組スポンサを特定するためのスポンサ情報、前記番組スポンサのＣＭを再生表示するためのＣＭデータ、ＣＭ挿入の開始時間と終了時間を示すＣＭ挿入の時間情報、を含むデータを格納し、ネットワークに接続したデータベースと、
番組を録画する際、録画する番組を特定するための情報を、前記データベースに前記ネットワークを介して送信し、前記録画する番組のスポンサ情報とＣＭ挿入の時間情報とを含むデータを、前記ネットワークを介して受け取って録画番組の管理情報として記録するとともに、
前記録画した番組を再生する際、前記管理情報として記録されたスポンサ情報を、前記ネットワークを介して前記データベースに送信し、番組スポンサのＣＭを再生表示するためのＣＭデータを、前記ネットワークを介して受け取って一時的に保持する放送記録再生装置と、を備え、
前記放送記録再生装置は、管理情報として記録されたＣＭ挿入の時間情報を用いて、前記録画した番組のＣＭの代わりに、前記ネットワークを介して受け取ったＣＭデータを再生して表示する
ことを特徴としたＣＭデータ表示システム。
【請求項８】
番組スポンサを特定するためのスポンサ情報、前記番組スポンサのＣＭを再生表示するためのＣＭデータ、を含むデータを格納し、ネットワークに接続したデータベースと、
放送信号中にＣＭ挿入の開始フラグと終了フラグを付加する番組放送手段と、
番組を録画する際、録画する番組を特定するための情報を、前記データベースに前記ネットワークを介して送信し、前記録画する番組のスポンサ情報を含むデータを、前記ネットワークを介して受け取って録画番組の管理情報として記録するとともに、
前記録画した番組を再生する際、管理情報として記録されたスポンサ情報を、前記ネットワークを介して前記データベースに送信し、前記番組スポンサのＣＭを再生表示するためのＣＭデータを、前記ネットワークを介して受け取って一時的に保持する放送記録再生装置と、を備え、
前記放送記録再生装置は、再生した放送信号中に含まれるＣＭ挿入の開始フラグと終了フラグを用いて、前記録画した番組のＣＭの代わりに、前記ネットワークを介して受け取ったＣＭデータを再生して表示する
ことを特徴とするＣＭデータ表示システム。
【請求項９】
請求項７または８において、  
前記ＣＭデータは、視聴者によるスキップ操作で順次に次のＣＭの再生に切り替わることを特徴とするＣＭデータ表示システム。
【請求項１０】
請求項７または８において、
前記データベースは、前記ＣＭデータの分類を示すＣＭデータの分類情報をさらに含み、
前記放送記録再生装置は、前記ＣＭデータを再生する際、再生が開始されてからスキップ操作がされたか否かを検知し、スキップ操作が検知された場合は再生開始からスキップ操作されるまでの時間を計測し、前記スキップ操作の検知情報、前記計測した時間情報と、前記ＣＭデータの分類情報を参照して、次に再生するＣＭを選択する
ことを特徴とするＣＭデータ表示システム。
【請求項１１】
番組を受信する放送受信部と、番組スポンサのＣＭデータとＣＭ挿入の時間情報を格納したデータベースとネットワークを介して通信するネットワーク接続部と、受信した番組を記録するとともに前記データベースからのデータを記録する情報記録部と、前記番組と前記ＣＭデータを表示する表示部と、各部を制御するコントロール部と、を備えた放送受信端末であって、
前記コントロール部は、前記データベースから得たＣＭ挿入の時間情報を用いて、前記放送受信部で受信したＣＭの代わりに、前記情報記録部に記録された前記データベースからのＣＭデータを再生し、前記再生したＣＭデータを前記表示部に表示する
ことを特徴とする放送受信端末。
【請求項１２】
請求項１１において、
前記放送受信端末は、ＣＭデータの再生表示中にＣＭ挿入の終了時間を過ぎた場合、再生中のＣＭを表示しつつ番組の録画を開始し、ＣＭの再生終了後に録画した番組の先頭から再生しつつ録画を継続するタイムシフト再生を行う
ことを特徴とする放送受信端末。
【請求項１３】
請求項１１ないし１２のいずれか１つの請求項において、
前記ＣＭデータは、視聴者によるスキップ操作で順次に次のＣＭの再生に切り替わることを特徴とする放送受信端末。
【請求項１４】
請求項１１ないし１３のいずれか１つの請求項において、
前記データベースは、前記ＣＭデータの分類を示すＣＭデータの分類情報をさらに含み、
前記放送受信端末は、前記ＣＭデータを再生する際、再生が開始されてからスキップ操作がされたか否かを検知し、前記スキップ操作を検知した場合は再生開始からスキップ操作されるまでの時間を計測し、前記スキップ操作の検知情報、前記計測した時間情報と、前記ＣＭデータの分類情報を参照して、次に再生するＣＭを選択する
ことを特徴とする放送受信端末。
【請求項１５】
番組を受信する放送受信部と、
番組のスポンサ情報、番組スポンサのＣＭデータ、ＣＭ挿入の時間情報、を含むデータを格納したデータベースとネットワークを介して通信するネットワーク接続部と、
受信した番組を記録するとともに前記データベースからのデータを記録する情報記録部と、
前記情報記録部に記録された前記番組と前記ＣＭデータを表示する表示部と、
各部を制御するコントロール部と、を備えた放送記録再生装置であって、
番組を前記情報記録部に録画する際、前記コントロール部は、録画する番組を特定するための情報を、前記ネットワーク接続部を介して前記データベースに送信し、前記録画する番組のスポンサ情報とＣＭ挿入の時間情報とを含むデータを、前記ネットワーク接続部を介して受け取って録画番組の管理情報として前記情報記録部に記録するとともに、
前記録画した番組を前記情報記録部より再生する際、前記コントロール部は、前記情報記録部に記録された前記管理情報としてのスポンサ情報を、前記ネットワーク接続部を介して前記データベースに送信し、番組スポンサのＣＭデータを、前記ネットワーク接続部を介して前記データベースから受け取って前記情報記録部に保持し、
前記管理情報として記録されたＣＭ挿入の時間情報を用いて、前記情報記録部に録画した番組のＣＭの代わりに、前記データベースから受け取り前記情報記録部に記録されたＣＭデータを再生し、前記再生したＣＭデータを前記表示部に表示する
ことを特徴とする放送記録再生装置。
【請求項１６】
請求項１５において、  
前記ＣＭデータは、視聴者によるスキップ操作で順次に次のＣＭの再生に切り替わることを特徴とする放送記録再生装置。
【請求項１７】
請求項１５において、
前記データベースは、前記ＣＭデータの分類を示すＣＭデータの分類情報をさらに含み、
前記放送記録再生装置は、前記ＣＭデータを再生する際、再生が開始されてからスキップ操作がされたか否かを検知し、スキップ操作が検知された場合は再生開始からスキップ操作されるまでの時間を計測し、前記スキップ操作の検知情報、前記計測した時間情報と、前記ＣＭデータの分類情報を参照して、次に再生するＣＭを選択する
ことを特徴とする放送記録再生装置。
【発明の詳細な説明】
【技術分野】
【０００１】
本発明は、放送を受信して表示する放送受信端末、及び放送を受信して記録再生する放送記録再生装置に関し、特に視聴者が効率的にＣＭを見るためのＣＭデータ表示システムに関する。
【背景技術】
【０００２】
従来、民間の放送局による無料放送は、番組制作等の費用を賄うためにスポンサを募り、番組の途中にスポンサのＣＭを挿入するというビジネスモデルで成り立っている。しかしながら、番組の途中に挿入されるＣＭは、視聴者の嗜好に関係なく予め決まった内容のものが放送されるため、視聴者は、興味の無いＣＭの放送であって必ずしも見る必要は無くても、ＣＭが終わるのを待たなくてはならず、視聴者にとって時間な無駄となる。
【０００３】
また、スポンサにとっても割り当てられたＣＭの時間枠に一つのＣＭしか放送できないため、多種多様な嗜好を持つ多くの視聴者に対して、ＣＭに興味を持つ視聴者の数が制限されてしまい、大きな宣伝効果を得ることが難しい。
【０００４】
さらに、大容量ハードディスクを用いた放送記録再生装置の出現により、番組を一旦記録して再生することでＣＭを簡単にスキップできるようになり、スポンサにとっては益々ＣＭによる宣伝効果が低くなり、ＣＭを用いたスポンサと放送局間のビジネスモデルは今後成立しなくなる可能性がある。
【０００５】
これらの課題を解決するために、従来技術として、特許文献１では、視聴者が予め希望するＣＭを選択して、選択したＣＭのみを視聴する方法が提案されている。また、特許文献２では、所定回数のＣＭを見ないと番組の続きを表示しない方法が提案されている。また、特許文献３では、記録した番組を視聴する際、最初にＣＭのみが再生され、全てのＣＭが再生された後に番組の再生を開始する方法が提案されている。
【特許文献１】特開２００３−１７９８９７号公報
【特許文献２】特開２００３−１６３８６５号公報
【特許文献３】特開２００２−３２５２２６号公報
【発明の開示】
【発明が解決しようとする課題】
【０００６】
上述したように、現在の無料放送における番組の途中で挿入されるＣＭは、視聴者の嗜好に関係なく予め決まった内容のものが放送されるため、そのＣＭに興味のない視聴者にとっては時間の無駄となる一方、スポンサにとってもＣＭを視聴してもらえず、大きな宣伝効果を得ることが難しいという課題が存する。
【０００７】
そこで、特許文献１は、予め視聴者が興味のあるＣＭを選択することで、視聴者が興味のあるＣＭのみを表示するものであるが、視聴者の興味は時間を追って変化していく場合があり、番組の最初にＣＭを選択したとしても、番組の途中で見たいＣＭが変わってしまう場合が想定される。また、特許文献２は、ＣＭを見る時間帯をある程度視聴者がコントロールできるが、所定回数のＣＭを表示しないと番組の続きを見ることができない仕組みであるため、そのＣＭに興味の無い視聴者にとっては、無駄な時間がシフトするのみである。また、特許文献３は、記録した番組を視聴する際、最初に全てのＣＭが再生されないと番組を見ることが出来ないため、視聴者から見ると、早く見たい番組をなかなか見ることができず、もどかしい思いをさせると共に、そのＣＭに興味のない視聴者にとっては無駄な時間が番組の最初にシフトしたのみである。
【０００８】
また、特許文献１や特許文献２のような方法は、放送システムに深く関わるものであるため、このような方法を実現するためには、放送設備やその放送を受信表示する全ての放送受信端末が対応する必要があり、現行の放送受信端末が普及している現在では実現が難しい。
【０００９】
本発明の目的は、ＣＭに割り当てられた時間を保持しつつ、視聴者が見たくないＣＭを簡単にスキップさせることができ、且つ視聴者の刻一刻と変わる興味に追従し、且つ現行の放送方式で実現可能なＣＭデータ表示システム又は放送受信端末を提供することにある。
【課題を解決するための手段】
【００１０】
前記課題を解決するために、本発明は主として次のような構成を採用する。  
番組スポンサのＣＭを再生表示するためのＣＭデータとＣＭ挿入の開始時間及び終了時間を示すＣＭ挿入の時間情報とを含むデータを格納し、ネットワークに接続したデータベースと、番組を受信して表示するとともに、前記受信した番組を特定するための情報を、前記データベースに前記ネットワークを介して送信し、前記受信した番組スポンサのＣＭデータとＣＭ挿入の時間情報とを含むデータを、前記ネットワークを介して受け取って一時的に保持する放送受信端末と、を備え、前記放送受信端末は、前記ネットワークを介して受け取ったＣＭ挿入の時間情報を用いて、放送で受信したＣＭの代わりに、ネットワークを介して受け取ったＣＭデータを再生して表示する構成とする。
【００１１】
また、前記放送受信端末は、ＣＭデータの再生表示中にＣＭ挿入の終了時間を過ぎた場合、再生中のＣＭを表示しつつ番組の録画を開始し、ＣＭの再生終了後、録画した番組の先頭から再生しつつ録画を継続するタイムシフト再生を行う構成とする。
【００１２】
また、番組スポンサのＣＭを再生表示するためのＣＭデータを含むデータを格納し、ネットワークに接続したデータベースと、放送信号中にＣＭ挿入の開始フラグと終了フラグを付加する番組放送手段と、番組を受信して表示するとともに、前記受信した番組を特定するための情報を、前記データベースに前記ネットワークを介して送信し、前記受信した番組スポンサのＣＭデータを含むデータを、前記ネットワークを介して受け取って一時的に保持する放送受信端末と、を備え、前記放送受信端末は、前記放送信号中に含まれるＣＭ挿入の開始フラグとＣＭ挿入の終了フラグを用いて、放送で受信したＣＭの代わりに、前記ネットワークを介して受け取ったＣＭデータを再生して表示する構成とする。
【００１３】
また、番組スポンサを特定するためのスポンサ情報、前記番組スポンサのＣＭを再生表示するためのＣＭデータ、ＣＭ挿入の開始時間と終了時間を示すＣＭ挿入の時間情報、を含むデータを格納し、ネットワークに接続したデータベースと、番組を録画する際、録画する番組を特定するための情報を、前記データベースに前記ネットワークを介して送信し、前記録画する番組のスポンサ情報とＣＭ挿入の時間情報とを含むデータを、前記ネットワークを介して受け取って録画番組の管理情報として記録するとともに、前記録画した番組を再生する際、前記管理情報として記録されたスポンサ情報を、前記ネットワークを介して前記データベースに送信し、番組スポンサのＣＭを再生表示するためのＣＭデータを、前記ネットワークを介して受け取って一時的に保持する放送記録再生装置と、を備え、前記放送記録再生装置は、管理情報として記録されたＣＭ挿入の時間情報を用いて、前記録画した番組のＣＭの代わりに、前記ネットワークを介して受け取ったＣＭデータを再生して表示する構成とする。
【００１４】
また、番組スポンサを特定するためのスポンサ情報、前記番組スポンサのＣＭを再生表示するためのＣＭデータを含むデータを格納し、ネットワークに接続したデータベースと、放送信号中にＣＭ挿入の開始フラグと終了フラグを付加する番組放送手段と、番組を録画する際、録画する番組を特定するための情報を、前記データベースに前記ネットワークを介して送信し、前記録画する番組のスポンサ情報を含むデータを、前記ネットワークを介して受け取って録画番組の管理情報として記録するとともに、前記録画した番組を再生する際、前記管理情報として記録されたスポンサ情報を、前記ネットワークを介して前記データベースに送信し、番組スポンサのＣＭを再生表示するためのＣＭデータを、前記ネットワークを介して受け取って一時的に保持する放送記録再生装置と、を備え、前記放送記録再生装置は、前記放送信号中に含まれるＣＭ挿入の開始フラグとＣＭ挿入の終了フラグを用いて、前記録画した番組のＣＭの代わりに、前記ネットワークを介して受け取ったＣＭデータを再生して表示する構成とする。
【発明の効果】
【００１５】
本発明によれば、視聴者は興味のないＣＭを次々とスキップすることができるため、興味のないＣＭが終わるのを待つ必要がなくなる。
【００１６】
また、スポンサにとっては、放送に挿入するＣＭだけでなく、ネットワークを介してより多くの種類のＣＭを視聴者に見てもらうことができ、更に視聴者の嗜好に合わせてＣＭが選択表示されるため、より大きな宣伝効果を期待することができる。
【発明を実施するための最良の形態】
【００１７】
本発明の第１と第２の実施形態に係るＣＭデータ表示システムについて、図１〜図３と図４を参照しながら以下説明する。図１は本発明の第１の実施形態に係るＣＭデータ表示システムのシステム構成を示すブロック図である。図２は第１の実施形態に係るＣＭデータ表示システムにおける番組とＣＭデータの再生の切り替えを説明するタイムテーブルを示す図である。図３は第１の実施形態に係るＣＭデータ表示システムにおける複数のＣＭ挿入が行われた場合のタイムテーブルを示す図である。図４は本発明の第２の実施形態に係るＣＭデータ表示システムのシステム構成を示すブロック図である。
【００１８】
図面において、１は放送局、２はＣＭデータベース、３はネットワーク、１０は放送受信端末、１１は放送受信部、１２はネットワーク接続部、１３は情報記録部、１４は表示部、１５はコントロール部、１６はリモコン、２０は放送記録再生装置、２１は放送受信部、２２はネットワーク接続部、２３は情報記録部、２４は表示データ出力部、２５はコントロール部、２６はリモコン、をそれぞれ表す。
【００１９】
本発明の第１の実施形態に係るＣＭデータ表示システムを示す図１において、放送局１は、従来の放送と同様に番組の途中にＣＭを挿入しつつ番組を送出する。ここで、図示していないが、本実施形態に係るＣＭデータ表示システムに対応していない放送受信端末では、従来と全く変わりなく放送局から送出される番組とＣＭを受信表示することになる。
【００２０】
本発明の第１の実施形態における放送受信端末１０は、視聴者によるリモコン１６の操作で受信する番組が選択されると、選択された番組が放送受信部１１で受信され表示部１４により表示されるとともに、リモコン１６、コントロール部１５を通してネットワーク接続部１２からネットワーク３を経てＣＭデータベース２に、選択された番組を示す情報が伝えられる。
【００２１】
ＣＭデータベース２は、選択された番組のスポンサのＣＭデータと、ＣＭ挿入の時間情報と、ＣＭデータの分類情報とを、ネットワーク３を介して放送受信端末１０に送出する。ここで、ＣＭ挿入の時間情報とは、選択された番組におけるＣＭ挿入の開始時間とＣＭ挿入の終了時間を示す。また、ＣＭデータの分類情報とは、そのＣＭデータで宣伝する商品の分類（映画、旅行、家電製品、情報機器、化粧品、キャラクター商品等）や、商品がターゲットとしている対象年齢、性別、趣味（テニス、野球、読書等）の情報等を示す。
【００２２】
放送受信端末１０は、上述したＣＭデータ、ＣＭ挿入の時間情報、ＣＭデータの分類情報を、ネットワーク接続部１２で受け取り、ＣＭデータは、ＣＭデータの分類情報と共に情報記録部１３に一旦記録され、ＣＭ挿入の時間情報は、コントロール部１５で現在の時刻情報とともに管理される。現在の時刻がＣＭ挿入の開始時間になったら、情報記録部１３に記録されているＣＭデータの再生を開始し、表示部１４の表示を番組から再生されたＣＭの表示に切り替える（図１に示す切り替えスイッチを用いて）。視聴者は、再生されたＣＭを見て、もし興味があればそのまま見続ける。そのまま見続けた場合は、再生されたＣＭが終わると次のＣＭの再生へと自動的に移行する（後述する図２の（２）を参照）。
【００２３】
もし、再生されたＣＭに興味が無ければ、視聴者はリモコン１６のスキップボタンを押す。スキップボタンが押されると、コントロール部１５は情報記録部１３を制御して次のＣＭを再生する（後述する図２の（３）を参照）。コントロール部１５は、スキップボタンが押される毎に、次々と（順次に）次のＣＭを再生することで、視聴者は興味のないＣＭが終わるまで待つという無駄な時間を過ごさなくてもよくなる。
【００２４】
このように、視聴者が興味のないＣＭが次々にスキップされるため、番組選択時に最初にＣＭデータベース２から受け取ったＣＭデータだけでは、再生するＣＭが足りなくなる場合があり、その時は新たにＣＭデータベース２に送信要求を出して、新たなＣＭデータを受け取ることもできる。
【００２５】
また、コントロール部１５はＣＭ再生中、ＣＭ挿入の終了時間を監視し、ＣＭ挿入の終了時間に到達するまでの間は、スキップボタンが押されるか、再生中のＣＭが終わる毎に次のＣＭデータの再生を行い、ＣＭ挿入の終了時間を越えた後にスキップボタンが押されるか、再生中のＣＭが終わった時に、ＣＭデータの再生を終了して表示部１４の表示をＣＭから番組に切り替える。尚、本実施形態では、ＣＭ挿入の開始時間と終了時間を、ＣＭデータベース２からネットワークを介して受け取り、現在時刻と比較することでＣＭ挿入のタイミングを決める方法について記載したが、放送信号中にＣＭ挿入の開始と終了を示すフラグを埋め込んでおき、そのフラグを用いてＣＭ挿入のタイミングを決めても良い。
【００２６】
次に、第１の実施形態に係るＣＭデータ表示システムにおける番組とＣＭデータの再生の切り替えの詳細について図２を参照しながら以下説明する。図２は、番組とＣＭデータの再生の切り替えのタイムテーブルを示したものである。
【００２７】
図２の（１）は、放送局から送出される番組と、途中に挿入されるＣＭを示しており、本実施形態のＣＭデータ表示システムに対応していない放送受信端末では、このタイムテーブル通りの表示が行われる。
【００２８】
図２の（２）は、本実施形態の放送受信端末１０において、視聴者がＣＭに切り替わって一度もスキップボタンを押さなかった場合のタイムテーブルを示している。図２の（３）は、本実施形態の放送受信端末１０において、視聴者が２回スキップボタンを押した場合のタイムテーブルを示している。
【００２９】
図２の（３）では、ＣＭａ１表示後すぐにスキップボタンが押され（視聴しているＣＭに興味がないときにスキップボタンが押される）、ＣＭｂ１の再生に移行するが、またすぐにスキップボタンが押され、ＣＭｃ１の再生に移行後はスキップボタンが押されなかったため、ＣＭｃ２、ＣＭｃ３と再生して、ＣＭｃ３の再生が終了した時点でＣＭ挿入の終了時間を越えていたため番組の表示に切り替えている。ここで、詳細は後述するが、ＣＭａ１やＣＭｂ１における小文字のａ，ｂなどはＣＭデータの分類を表し、例えば、ＣＭａ１は家電製品のＣＭ１であり、ＣＭｂ１は音響・ＡＶ製品のＣＭ１を表す。
【００３０】
図２の（３）に示すように、途中でスキップボタンが押されると、ＣＭ挿入の終了時間丁度にＣＭの再生が終了しない場合が発生する。（３）ではＣＭｃ３の途中でＣＭ挿入の終了時間が来ている。このため、ＣＭｃ３の再生が終了した後、ただ表示を番組に切り替えただけでは、ＣＭ挿入の終了時間からＣＭｃ3の再生が終了するまでの時間分、番組２の先頭部分が抜けてしまう。また、図示しないが、ＣＭ挿入の終了時間を過ぎた後、ＣＭｃ３の途中でスキップボタンが押された場合、ＣＭｃ３の再生を途中で打ち切り番組の表示に切り替えるが、この場合も、ＣＭ挿入の終了時間からＣＭｃ３の途中でスキップボタンが押されるまでの時間分、番組の先頭部分が抜けてしまうことになる。
【００３１】
そこで、コントロール部１５はＣＭ挿入の終了時間になってもＣＭが再生途中だった場合、情報記録部１３を制御して放送受信部１１から入力される番組の記録を開始し、ＣＭの再生終了後、番組を記録しつつ記録した番組の先頭から再生する、いわゆるタイムシフト再生を行う。
【００３２】
次に、タイムシフト再生によって番組の表示時間が放送とずれた場合における次の（以降の）ＣＭ挿入箇所（例えば、図３に示す「ＣＭ挿入箇所２」）について、図３を参照しながら説明する。図３の（４）は、本実施形態の放送受信端末１０において、複数のＣＭ挿入が行われた場合のタイムテーブルを示している。この例では、ＣＭ挿入箇所１のＣＭ挿入の終了時間前にＣＭｃ３の再生が始まり（この再生の以前に、図２の（３）に示すように２回のスキップボタン操作がなされた）、その後スキップボタンが押されなかったため、本来Ａに相当する時間見ればよいＣＭを、タイムシフト時間ａに相当する時間だけ余計にＣＭが見られたことになる。
【００３３】
そこで、ＣＭ挿入箇所２（図３に示す「番組２」の右側を参照）では、本来のＣＭ挿入の開始時間よりタイムシフト時間ａに相当する時間だけＣＭ挿入の開始時間が遅れるが、ＣＭ挿入の終了時間はそのまま維持される。従って、本来見る必要があるＢ（ＣＭ挿入箇所２の期間）に相当する時間からタイムシフト時間ａに相当する時間を引いた時間だけ見ればよいことになる。ＣＭ挿入箇所２のＣＭ挿入の終了時間では、ＣＭｅ２が再生途中であるため、コントロール部１５は、情報記録部１３を制御して放送受信部１１から入力される番組３の記録を開始し、ＣＭｅ２の再生終了後、番組３のタイムシフト再生を行う。
【００３４】
図３の（５）は、更に極端な例で、ＣＭ挿入箇所１のＣＭｃ３が長く、しかも途中でスキップボタンが押されなかったため、タイムシフト時間ａが、ＣＭ挿入箇所２で本来見る必要があるＢに相当する時間を越えてしまった場合を示している。このような場合、番組２のタイムシフト再生が終了した時点で、ＣＭ挿入箇所２のＣＭ挿入の終了時間を過ぎているため、ＣＭ挿入箇所２にはＣＭが挿入されず、番組が続けて表示される。
【００３５】
しかし、ＣＭ挿入箇所２のＣＭ挿入の終了時間では、番組２のタイムシフト再生途中であるため、すぐに番組３に切り替えることはできない。そこで、コントロール部１５は、情報記録部１３を制御して放送受信部１１から入力される番組３の記録を開始し、番組２のタイムシフト再生終了後、続けて番組３のタイムシフト再生を行う。
【００３６】
次に、スキップボタンを用いて視聴者の嗜好に合ったＣＭデータの選択方法について説明する。コントロール部１５は、再生された各ＣＭデータが表示された後、スキップボタンが押されたか否かを検知し、スキップボタンが押されたことを検知した場合、表示されてからスキップボタンが押されるまでの時間を計測し、ＣＭデータの分類情報を用いて分類毎の重み付けを行うことで、次に再生するＣＭを選択する。
【００３７】
図２の（２）と（３）は、その選択方法の一例を示している。ここで、ＣＭａ１等と記載されている英小文字のａ，ｂ，ｃは、ＣＭデータの分類を示しており、（２）の例では、最初に分類ａの最初のＣＭであるＣＭａ１が表示され、スキップボタンが押されていないので、視聴者が分類ａのＣＭに興味を持っているものと判断し、分類ａのＣＭを続けて表示している。
【００３８】
（３）の例では、最初に分類ａのＣＭ（例えば、健康食品のＣＭ）を表示し、スキップボタンが押されたので分類ａには興味がないと判断して、次に分類ｂのＣＭ（例えば、アルコール飲料のＣＭ）を表示したが、これもスキップボタンが押されたので、次に分類ｃのＣＭ（例えば、家電製品のＣＭ）を表示し、その後スキップボタンが押されなかったため、以降表示するＣＭを分類ｃのＣＭとしている。また、上記に示した選択方法に限らず、最初はスキップボタン又はＣＭが終了する毎に別の分類のＣＭを表示して、全ての分類のＣＭを表示した後に視聴者が興味のありそうな分類のＣＭを絞り込んでいく等の選択方法も考えられる。
【００３９】
次に、本発明の第２の実施形態に係るＣＭデータ表示システムについて、図４を参照しながら以下説明する。第２の実施形態は、ＣＭデータ表示システムにおける放送記録再生装置２０に関するものである。
【００４０】
まず始めに、本実施形態の放送記録再生装置２０が番組を録画する時の動作について説明する。本実施形態の放送記録再生装置２０は、視聴者によるリモコン２６の操作で録画予約等が行われ、録画開始時間になると予約していた番組を放送受信部２１で受信して、情報記録部２３に受信した番組を記録するとともに、コントロール部２５を通してネットワーク接続部２２からネットワーク３を経てＣＭデータベース２に、録画を開始した番組を示す情報が伝えられる。
【００４１】
ＣＭデータベース２は、録画を開始した番組のＣＭ挿入の時間情報と、番組のスポンサ情報を、ネットワーク３を介して放送記録再生装置２０に送出する。ここで、番組のスポンサ情報とは、番組スポンサを特定するための情報である。
【００４２】
放送記録再生装置２０は、録画を開始した番組のＣＭ挿入の時間情報と、番組のスポンサ情報をネットワーク接続部２２で受け取り、ＣＭ挿入の時間情報から、録画を開始した時間を差し引いた、録画開始時間を起点としたＣＭ挿入の開始時間と終了時間を算出し、番組のスポンサ情報と共に、管理情報の一部として情報記録部２３に記録する。
【００４３】
次に、録画した番組を再生する時の動作について説明する。視聴者によるリモコン２６の操作で録画した番組の再生が指示されると、情報記録部２３に録画されている番組が再生されて、表示データ出力部２４から出力されると共に、ネットワーク接続部２２からネットワーク３を介してＣＭデータベース２に、再生を開始した番組のスポンサ情報が伝えられる。
【００４４】
ＣＭデータベース２は、番組のスポンサ情報で示される番組スポンサのＣＭデータと、ＣＭデータの分類情報を、ネットワーク３を介して放送記録再生装置２０に送出する。また、放送記録再生装置２０は、これらＣＭデータと、ＣＭデータの分類情報を、ネットワーク接続部２２で受け取り、情報記録部２３に一旦記録する。
【００４５】
コントロール部２５は、再生中の番組の先頭からの経過時間を監視し、経過時間がＣＭ挿入の開始時間になったら、情報記録部２３に記録されているＣＭデータの再生を開始し、表示データ出力部２４の出力を番組からＣＭの表示に切り替える。
【００４６】
視聴者は、再生されたＣＭを見て、もし興味があればそのまま見続ける。そのまま見続けた場合は、再生されたＣＭが終わると次のＣＭの再生へと自動的に移行する。もし、再生されたＣＭに興味が無ければ、視聴者はリモコン２６のスキップボタンを押す。スキップボタンが押されると、コントロール部２５は情報記録部２３を制御して次のＣＭを再生する。コントロール部２５は、スキップボタンが押される毎に、次々と次のＣＭを再生することで、視聴者は興味のないＣＭが終わるまで待つという無駄な時間を過ごさなくてもよくなる。このように、視聴者が興味のないＣＭが次々のスキップされるため、再生する番組選択時に最初にＣＭデータベース２から受け取ったＣＭデータだけでは、再生するＣＭが足りなくなる場合があり、その時は新たにＣＭデータベース２に送信要求を出して、新たなＣＭデータを受け取ることもできる。
【００４７】
また、コントロール部２５はＣＭ再生中、ＣＭ挿入の終了時間を監視し、ＣＭ挿入の終了時間に到達するまでの間は、スキップボタンが押される毎に、または、再生中のＣＭが終わる毎に次のＣＭデータの再生を行う。また、ＣＭ挿入の終了時間を越えた後にスキップボタンが押される時に、または、再生中のＣＭが終わった時に、ＣＭデータの再生を終了して表示データ出力部２４の出力をＣＭから番組に切り替える。
【００４８】
尚、本実施形態では、ＣＭ挿入の開始時間と終了時間を、ＣＭデータベース２からネットワークを介して受け取り、ＣＭ挿入の開始時間と終了時間から、録画を開始した時間を差し引いた、録画開始時間を起点としたＣＭ挿入の開始時間と終了時間を算出し、ＣＭ挿入のタイミングを決める方法について記載したが、放送信号中にＣＭ挿入の開始と終了を示すフラグを埋め込んでおき、そのフラグを用いてＣＭ挿入のタイミングを決めても良い。
【００４９】
また、第２の実施形態における放送記録再生装置のタイムテーブルを用いた詳細な説明、及び、スキップボタンを用いた、視聴者の嗜好に合ったＣＭデータの選択方法については、基本的に本発明の第１の実施形態と同様なので説明を省略する。さらに、第１の実施形態では、ＣＭの再生終了がＣＭ挿入の終了時間を過ぎて、以降の番組の表示時間が放送とずれた場合、タイムシフト再生を行ったが、第２の実施形態では、以降の番組の再生開始を遅らせるだけで良い。
【００５０】
以上説明したように、本発明の実施形態は、放送を受信して表示する放送受信端末、及び放送を記録再生する放送記録再生装置に適用できるものであって、ＣＭに割り当てられた時間を保持しつつ、視聴者が見たくないＣＭを簡単にスキップさせることができるＣＭデータ表示システムであり、放送に挿入される通常のＣＭとは別に、インターネット等のネットワークを利用して、より多くのＣＭを受信・保持し、放送のＣＭの代わりに、ネットワークから受信したＣＭを表示することを特徴としている。
【００５１】
本実施形態の具体的構成としては、放送受信端末は、選択された番組を表示すると共に、ＣＭデータベースからネットワークを介して番組スポンサのＣＭデータ、ＣＭ挿入の時間情報、ＣＭデータの分類情報を受け取って一時保存する。放送受信中、時刻がＣＭ挿入の開始時間になったら、一時保存しているＣＭデータの再生を開始し、放送されるＣＭの代わりに表示する。視聴者は、再生したＣＭに興味が無ければリモコンのスキップボタンを押すことで、再生中のＣＭをスキップできるようにする。また、ＣＭが再生されてからスキップボタンが押されるまでの時間を計測し、ＣＭデータの分類情報を用いて重み付けを行うことで、視聴者が興味のあるＣＭを推測し、以降に再生するＣＭを選択する。
【図面の簡単な説明】
【００５２】
【図１】本発明の第１の実施形態に係るＣＭデータ表示システムのシステム構成を示すブロック図である。
【図２】第１の実施形態に係るＣＭデータ表示システムにおける番組とＣＭデータの再生の切り替えを説明するタイムテーブルを示す図である。
【図３】第１の実施形態に係るＣＭデータ表示システムにおける複数のＣＭ挿入が行われた場合のタイムテーブルを示す図である。
【図４】本発明の第２の実施形態に係るＣＭデータ表示システムのシステム構成を示すブロック図である。
【符号の説明】
【００５３】
１  放送局
２  ＣＭデータベース
３  ネットワーク
１０  放送受信端末
１１  放送受信部
１２  ネットワーク接続部
１３  情報記録部
１４  表示部
１５  コントロール部
１６  リモコン
２０  放送記録再生装置
２１  放送受信部
２２  ネットワーク接続部
２３  情報記録部
２４  表示データ出力部
２５  コントロール部
２６  リモコン
【図１】
2007336439.tif 000003
【図２】
2007336439.tif 000004
【図３】
2007336439.tif 000005
【図４】
2007336439.tif 000006